(57)【要約】【課題】商品を予め傾斜状態で収容して、展示された商品の床面などへの脱落を確実に防止する。【解決手段】下面板１５、左右の側面板５、上面板１４、背面板６および正面板２を備えるとともに、左右の側面板５、正面板２および背面板６にわたって一対の平行な切り裂き目ｐ，ｐが連続して形成されている。そして、正面板２の裏面上部および背面板６の裏面下部に、収容された商品Ｇを傾斜状態に支持する傾斜片８が形成されている。これにより、切り裂き目ｐ，ｐに沿って全周にわたって切り裂くことにより、容器１を上半部と下半部とに切り離すことができ、さらに上半部を取り除くことにより、容器１の下半部を展示トレーとして陳列棚に陳列することができる。この際、商品Ｇは、予め背面板６側に向かって後方に傾斜した状態で配列されているため、前方側に倒れて展示トレーから脱落することを防止できる。【選択図】図２
2011046398.tif 000002
【特許請求の範囲】
【請求項１】
下面板、左右の側面板、上面板、背面板および正面板を備えるとともに、左右の側面板、正面板および背面板にわたって少なくとも１本の連続する切り裂き目が形成された展示兼用包装容器であって、前記正面板の裏面上部および背面板の裏面下部に、収容された商品を傾斜状態に支持する傾斜片が形成されることを特徴とする展示兼用包装容器。
【発明の詳細な説明】
【技術分野】
【０００１】
本発明は、商品を展示する展示トレーとしても活用することのできる展示兼用包装容器に関するものである。
【背景技術】
【０００２】
従来より、複数個の商品を包装容器に包装して出荷する際、包装容器の中程に全周にわたって切り裂き目を形成し、コンビニエンスストアやスーパーなどにおいて切り裂き目に沿って切り裂いて包装容器を上半部と下半部に分離し、下半部に対して上半部を取り除くことにより、包装容器の下半分を展示トレーとして活用し、包装容器に収容された商品を展示する展示兼用包装容器が提案されている（例えば、特許文献１，２参照）。
【先行技術文献】
【特許文献】
【０００３】
【特許文献１】特開平１０−２３６４７０号公報
【特許文献２】特開２００２−２６８２号公報
【発明の概要】
【発明が解決しようとする課題】
【０００４】
ところで、前述した展示兼用包装容器においては、商品は底面板に対して垂直状態で立設されて収容されていることから、コンビニエンスストアなどにおいて、切り裂き目に沿って切り裂いて展示兼用包装容器を上半部と下半部とに分離し、上半部を取り除いて展示トレーを形成して収容された商品を展示するとき、商品を取り出す際に接触するなどして前後に倒れることがある。特に、商品が薄くて背の高い場合には、安定性が低いため倒れ易く、前方に倒れた場合には、展示トレーを乗り越えて陳列棚から床面に落下するおそれがある。
【０００５】
本発明は、このような問題に鑑みてなされたもので、商品を予め傾斜状態に収容して、展示された商品の床面などへの脱落を確実に防止することのできる展示兼用包装容器を提供するものである。
【課題を解決するための手段】
【０００６】
本発明は、下面板、左右の側面板、上面板、背面板および正面板を備えるとともに、左右の側面板、正面板および背面板にわたって少なくとも１本の連続する切り裂き目が形成された展示兼用包装容器であって、前記正面板の裏面上部および背面板の裏面下部に、収容された商品を傾斜状態に支持する傾斜片が形成されることを特徴とするものである。
【０００７】
本発明によれば、コートボールを展開図にしたがって打ち抜いた後、折り目に沿って折り込むこととともに、所定部分を貼着して展示兼用包装容器が組み立てられ、商品が収容されて出荷される。
【０００８】
ここで、正面板の上端縁および背面板の下端縁にそれぞれ順に連設された接続片、傾斜片および支持片は、該支持片に連設された糊代をそれぞれ正面板および背面板に貼着するとともに、接続片がそれぞれ上面板および下面板に貼着されることにより、左右の側面板間にわたって正面板の内面上部および背面板の内面側下部に四角柱を形成する。そして、この四角柱は、接続片、傾斜片および支持片の設定された長さによって、正面板側の傾斜片は、正面板に対して下方に向かって間隔を漸減するように、また、背面板側の傾斜片は、背面板に対して上方に向かって間隔を漸減するように傾斜している。したがって、展示兼用包装容器に収容された複数個の商品は、傾斜片の傾斜に沿うように支持されて傾斜状態で立設されている。
【０００９】
一方、出荷地において、切り裂き目に沿って全周にわたって切り裂くことにより、展示兼用包装容器を上半部と下半部とに分離することができる。そして、展示兼用包装容器の上半部を取り除くことにより、背面板および背面板側傾斜片によって支持されて正面板側より背面板側に向かって上部が下部よりも後方に位置するように傾斜した商品が配列されて露出される。
【００１０】
これにより、展示兼用包装容器の下半部を展示トレーとして陳列棚などに陳列することができ、その際、商品は、展示トレーに予め後方となる背面板側に傾斜状態に配列されて展示されることになり、商品が展示トレーから床面などに脱落することを確実に防止することができる。
【発明の効果】
【００１１】
以上のように本発明によれば、商品を予め傾斜状態に収容して、展示された商品の床面などへの脱落を確実に防止することができる。
【図面の簡単な説明】
【００１２】
【図１】本発明の展示兼用包装容器の一実施形態を示す斜視図である。
【図２】図１の展示兼用包装容器に対する商品の収容状態を示す縦断面図である。
【図３】図１の展示兼用包装容器の切り裂き目を切り裂いて上下に切り離して示す斜視図である。
【図４】図１の展示兼用包装容器による商品の展示状態を示す斜視図である。
【図５】図１の展示兼用包装容器の展開図である。
【図６】図１の展示兼用包装容器の組立工程を示す説明図である。
【図７】図１の展示兼用包装容器の組立工程を示す説明図である。
【発明を実施するための形態】
【００１３】
以下、本発明の実施の形態を図面に基づいて説明する。
【００１４】
図１および図２には、本発明の展示兼用包装容器１の一実施形態が示されている。
【００１５】
この展示兼用包装容器１は、複数個の商品Ｇを包装するとともに、コンビニエンスストアなどにおいて展示するものであり、コートボールを図５に示す展開図にしたがって打ち抜いた後、折り目に沿って折り込むとともに、所定部分を貼着して組み立てられる。そして、組み立てた展示兼用包装容器１に設定個数の商品Ｇを収容した後、フィルムなどで包装してコンビニエンスストアなどに出荷される。
【００１６】
展示兼用包装容器１は、図５の展開図において、正面板２の左端縁に左側面板３および糊代４が折り目ａ，ｂを介して順に連設されるとともに、正面板２の右端縁に右側面板５および背面板６が折り目ｃ，ｄを介して順に連設される一方、正面板２の上端縁および背面板６の下端縁にそれぞれ接続片７、傾斜片８、支持片９および糊代１０が折り目ｅ，ｆ，ｇ，ｈを介して順に連設されるとともに、正面板２の下端縁および背面板６の上端縁にそれぞれフラップ１１が折り目ｉを介して連設され、また、左側面板３の上端縁に左上面板１２が折り目ｊを介して連設されるとともに、左側面板３の下端縁に左下面板１３が折り目ｋを介して連設され、さらに、右側面板５の上端縁に糊代１４１を有する右上面板１４が折り目ｍを介して連設されるとともに、右側面板５の下端縁に糊代１５１を有する右下面板１５が折り目ｎを介して連設されて構成されている。
【００１７】
そして、正面板２の下端部近傍には、一対の平行な切り裂き目ｐ，ｐが水平方向に形成されるとともに、糊代４の上端部近傍および背面板６の上端部近傍には、互いに延長線上において重なるように、一対の平行な切り裂き目ｐ，ｐが水平方向に形成されている。また、左側面板３には、正面板２に形成された一対の切り裂き目ｐ，ｐの折り目ａ上の各端縁と糊代４に形成された一対の切り裂き目ｐ，ｐの折り目ｂ上の各端縁とを連続する、正面板２から糊代４に向かって上り勾配の一対の平行な切り裂き目ｐ，ｐが形成されている。同様に、右側面板５には、正面板２に形成された一対の切り裂き目ｐ，ｐの折り目ｃ上の各端縁と背面板６に形成された一対の切り裂き目ｐ，ｐの折り目ｄ上の各端縁とを連続する、正面板２から背面板６に向かって上り勾配の一対の平行な切り裂き目ｐ，ｐが形成されている。これにより、糊代４から左側面板３、正面板２、右側面板５および背面板６にわたって連続する一対の平行な切り裂き目ｐ，ｐが略Ｖ字状に形成されている。
【００１８】
なお、正面板２の上端縁に連設された接続片７と傾斜片８とを連設する折り目ｆおよび背面板６の下端縁に連設された接続片７と傾斜片８とを連設する折り目ｆは、略中央部において不連続に形成されており、その不連続部には、それぞれ傾斜片８側に突出するコ字状の切れ目ｑが形成されている。
【００１９】
また、傾斜片８の高さ（折り目ｆ，ｇ間の間隔）は、接続片７の高さ（折り目ｅ，ｆ間の間隔）よりも小さく設定されるとともに、支持片９の高さ（折り目ｇ，ｈ間の間隔）よりも大きく設定されている。さらに、後述するように、糊代１０がそれぞれ正面板２および背面板６に貼着された際、支持片９と糊代１０との折り目ｈは、正面板２または背面板６と接続片７との折り目ｅから、傾斜片８の高さ＋支持片９の高さ−接続片７の高さに対応する高さ位置にあって、支持片９の高さよりは大きく、接続片７の高さよりは小さく設定されている。したがって、側面側から見て、接続片７を水平面とするように正面板２に対して折り目ｅに沿って、あるいは、背面板６に対して折り目ｅに沿って谷折りした場合、正面板２または背面板６とともに、接続片７、傾斜片８および支持片９からなる四角形は、四辺の長さが全て異なるとともに、傾斜片８が正面板２または背面板６に向かって間隔が漸減する方向に傾斜するものとなる。
【００２０】
次に、このように構成された展示兼用包装容器１の組立手順について説明する。
【００２１】
まず、図５の展開図にしたがってコートボールを打ち抜くとともに、裏面が上面を向くように反転させた後、各糊代１０の裏面に接着剤を塗布し、各傾斜片８を支持片９および糊代１０とともに接続片７に対して折り目ｆに沿って谷折りし、各糊代１０の裏面をそれぞれ正面板２の裏面および背面板６の裏面に貼着する（図６参照）。そして、右側面板５を背面板６とともに正面板２に対して折り目ｃに沿って谷折りした後、糊代４の裏面に接着剤を塗布し、糊代４を左側面板３に対して折り目ｂに沿って谷折りし、糊代４の裏面を背面板６の表面に貼着する（図７参照）。
【００２２】
次いで、右側面板５の下端縁に連設された右下面板１５の糊代１５１の表面に接着剤を塗布するとともに、背面板６の下端縁に連設された接続片７の中央部表面に接着剤を塗布した後、正面板２を左側面板３に対して折り目ａに沿って起立させ、前後両端が開口された直方体状の容器を形成する。その後、正面板２に連設されたフラップ１１を正面板２に対して折り目ｉに沿って内方に折り込むとともに、接続片７を背面板６に対して折り目ｅに沿って内方に折り込み、さらに、右下面板１５を右側面板５に対して折り目ｎに沿って内方に折り込んで、右下面板１５の背面板６側端部裏面を接続片７の表面に貼着する。その後、左下面板１３を左側面板３に対して折り目ｋに沿って内方に折り込み、左下面板１３の裏面を右下面板１５の糊代１５１に貼着する。これにより、下面側開口が右下面板１５および左下面板１３によって閉鎖された容器を形成する。
【００２３】
この際、背面板６に連設された接続片７は、背面板６に対して折り目ｅに沿って内方に折り込まれるとともに、右下面板１５と貼着されることにより、接続片７、傾斜片８および支持片９からなる四角柱が左右の側面板３，５間に形成される。この四角柱を形成する傾斜片８は、側面側から見て、背面板６に向かって間隔が漸減する傾斜面となっている。
【００２４】
この後、左右の下面板１３，１５を下面に配置し、上面側開口を通して箱詰めされた複数個の商品Ｇを収容すれば、複数個の商品Ｇは、背面板６に最も近い商品Ｇが傾斜片８の傾斜角度に沿って傾斜するとともに、その上端隅角部が背面板６の内面側上端部に接触して支持されることにより、以下、図２に示すように、背面板６に最も近い商品Ｇを基準として順に傾斜状態に立設して収容されるものとなる。
【００２５】
商品Ｇを収容したならば、前述したように、右側面板５の上端縁に連設された右上面板１４の糊代１４１の表面に接着剤を塗布するとともに、正面板２の上端縁に連設された接続片７の中央部表面に接着剤を塗布した後、背面板６に連設されたフラップ１１を背面板６に対して折り目ｉに沿って内方に折り込むとともに、接続片７を正面板２に対して折り目ｅに沿って内方に折り込み、さらに、右上面板１４を右側面板５に対して折り目ｍに沿って内方に折り込んで、右上面板１４の正面板２側端部裏面を接続片７の表面に貼着する。その後、左上面板１２を左側面板３に対して折り目ｊに沿って内方に折り込み、左上面板１２の裏面を右上面板１４の糊代１４１に貼着することにより、複数個の商品Ｇを傾斜状態で収容した展示兼用包装容器１を形成することができる。
【００２６】
この際、正面板２に連設された接続片７は、正面板２に対して折り目ｅに沿って内方に折り込まれるとともに、右上面板１４と貼着されることにより、接続片７、傾斜片８および支持片９からなる四角柱が、先に収容された商品Ｇのうちの正面板２に最も接近した商品Ｇの前方上部に位置して左右の側面板３，５間に形成される。この四角柱を形成する傾斜片８は、側面側から見て、正面板２に向かって間隔が漸減する傾斜面となっている（図２参照）。
【００２７】
この後、詳細には図示しないが、展示兼用包装容器１はフィルムで包装されてコンビニエンスなどに出荷される。
【００２８】
一方、コンビニエンスストアなどにおいて、商品Ｇを陳列するに際しては、フィルムを剥離した後、背面板６の表面に貼着された糊代４に形成された一対の切り裂き目ｐ，ｐの先端縁を指先で摘んで引き上げることにより、糊代４、左側面板３、正面板２、右側面板５および背面板６の順に全周にわたって一対の切り裂き目ｐ，ｐに沿って切り裂いて、展示兼用包装容器１を上下に切り離すことができる（図３参照）。そして、一対の切り裂き目ｐ，ｐに沿って切り裂かれた展示兼用包装容器１の上半部を取り除くことにより、図４に示すように、展示兼用包装容器１の下半部を展示トレーとして複数個の商品Ｇを傾斜状態に配置した状態で露出させることができる。したがって、この状態で陳列棚に陳列することにより、商品Ｇを後方に傾斜した状態で展示することができる。すなわち、商品Ｇは、予め背面板６側に向かって後方に傾斜した状態で配列されて展示されることから、展示状態から前方側に倒れることはなく、展示トレーを乗り越えて陳列棚から床面などに脱落することを確実に防止することができる。
【００２９】
なお、前述した実施形態においては、上面板を左右の上面板によって、また、下面板を左右の下面板によってそれぞれ形成する場合を説明したが、左右の側面板の上下各一方の端縁に、上面側開口および下面側開口に相当する大きさの上面板および下面板を連設して、それぞれ上面側開口および下面側開口を閉鎖するようにしてもよい。この場合、左右の側面板の上下各他方の端縁には、上面板および下面板を貼着する糊代を連設すればよい。
【符号の説明】
【００３０】
１  展示兼用包装容器
２  正面板
３，５  左右の側面板
４  糊代
６  背面板
７  接続片
８  傾斜片
９  支持片
１２，１４  左右の上面板
１３，１５  左右の下面板
４，１０，１４１，１５１  糊代
ａ，ｂ，ｃ，ｄ，ｅ，ｆ，ｇ，ｈ，ｉ，ｊ，ｋ，ｍ，ｎ  折り目
ｐ  切り裂き目
ｑ  コ字状切れ目
Ｇ  商品
【図１】
2011046398.tif 000003
【図２】
2011046398.tif 000004
【図３】
2011046398.tif 000005
【図４】
2011046398.tif 000006
【図５】
2011046398.tif 000007
【図６】
2011046398.tif 000008
【図７】
2011046398.tif 000009